(57)【要約】    【課題】      パケットロスによる伝送効率の低下を防止しつつ、通信中の周波数とは異なる周波数の信号の無線品質を測定すること。    【解決手段】  リソース割当部１０７は、各移動局装置から報告される自装置の周波数の無線品質に基づいてリソースの割り当てるスケジューリングを行う。周波数切替判定部１０８は、スケジューリングの結果、リソースが割り当てられずに無線ネットワーク装置から信号が送信されない移動局装置を周波数の切り替えが可能な移動局装置として選択する。周波数切替指示生成部１０９は、周波数切替判定部１０８によって選択された移動局装置に対して周波数の切り替えを指示する周波数切替指示を生成する。  【選択図】      図１
2006165691.tif 000002
【特許請求の範囲】
【請求項１】
複数の移動局装置から無線品質情報を受信する受信手段と、
前記複数の移動局装置がそれぞれ周波数を切り替えるか否かを判定する判定手段と、
前記複数の移動局装置に前記無線品質情報に応じたリソース割り当てを行う割当手段と、
周波数を切り替えると判定された移動局装置にはリソースが割り当てられていないことを示すスケジューリング情報を送信する送信手段と、
を有することを特徴とする無線ネットワーク装置。
【請求項２】
前記判定手段は、
前記割当手段によってリソースが割り当てられない移動局装置が周波数を切り替えると判定することを特徴とする請求項１記載の無線ネットワーク装置。
【請求項３】
前記割当手段は、
前記判定手段によって周波数を切り替えると判定された移動局装置を対象外として、前記無線品質情報に応じたリソース割り当てを行うことを特徴とする請求項１記載の無線ネットワーク装置。
【請求項４】
前記判定手段は、
受信された無線品質情報を参照して、各移動局装置について周波数ごとの無線品質および当該無線品質が測定された時刻を記憶するテーブル、を含み、
所定の期間以上無線品質が測定されていない周波数に対応する移動局装置が周波数を切り替えると判定することを特徴とする請求項３記載の無線ネットワーク装置。
【請求項５】
前記判定手段は、
移動局装置から送信された周波数切替通知を検出する周波数切替通知検出部、を含み、
周波数切替通知を送信した移動局装置が周波数を切り替えると判定することを特徴とする請求項３記載の無線ネットワーク装置。
【請求項６】
自装置の周辺に位置する無線ネットワーク装置が通信する信号の周波数に周波数を切り替える旨の周波数切替指示を生成する生成手段、をさらに有し、
前記送信手段は、
周波数を切り替えると判定された移動局装置に対して、生成された周波数切替指示を送信することを特徴とする請求項１記載の無線ネットワーク装置。
【請求項７】
複数の通信相手局からそれぞれ周波数が異なる信号を受信する受信手段と、
受信信号を用いて無線品質を測定する測定手段と、
周波数ごとの無線品質および当該無線品質が測定された時刻を記憶するテーブルと、
所定の期間以上無線品質が測定されていない周波数に受信周波数を切り替えると判定する判定手段と、
受信周波数を切り替える旨の周波数切替通知を送信する送信手段と、
を有することを特徴とする移動局装置。
【請求項８】
複数の移動局装置から無線品質情報を受信するステップと、
前記複数の移動局装置に対して、受信された無線品質情報に応じたリソース割り当てを行うステップと、
リソースが割り当てられない移動局装置が周波数を切り替えると判定するステップと、
を有することを特徴とする周波数切替方法。
【請求項９】
複数の移動局装置から無線品質情報を受信するステップと、
前記複数の移動局装置がそれぞれ周波数を切り替えるか否かを判定するステップと、
周波数を切り替えると判定された移動局装置を対象外として、前記無線品質情報に応じたリソース割り当てを行うステップと、
を有することを特徴とする周波数切替方法。
【発明の詳細な説明】
【技術分野】
【０００１】
本発明は、無線ネットワーク装置、移動局装置、および周波数切替方法に関し、特にハンドオーバなどに際して、通信中の回線とは周波数が異なる回線の無線品質測定が必要とされる移動体通信システムに用いられる無線ネットワーク装置、移動局装置、および周波数切替方法に関する。
【背景技術】
【０００２】
移動局装置が現在通信を行っているハンドオーバ元の基地局装置と新たな通信相手となり得るハンドオーバ先の基地局装置とが異なる周波数の信号を送信している場合、ハンドオーバする移動局装置がハンドオーバ先の基地局装置からの信号の無線品質を測定するために、コンプレストモードと呼ばれる通信方式が従来から検討されている（例えば非特許文献１参照）。
【０００３】
コンプレストモードとは、ハンドオーバする移動局装置宛ての信号の送受信を一時的に停止するギャップ区間を基地局装置がフレーム内に設ける方式であり、移動局装置は、ギャップ区間の間に受信周波数をハンドオーバ先の基地局装置に対応する周波数に切り替え、ハンドオーバ先の基地局装置からの共通パイロットチャネル（ＣＰＩＣＨ：Common PIlot CHannel）の信号などを用いて無線品質を測定する。そして、無線品質測定の結果、ハンドオーバ先の基地局装置からの信号の無線品質の方が良好となっていれば、移動局装置はハンドオーバを行って、完全に受信周波数をハンドオーバ先の基地局装置に対応する周波数に切り替える。
【０００４】
コンプレストモードにおけるギャップ区間の位置は、基地局装置と各移動局装置との間に確立されている個別チャネルを利用して通知される。
【非特許文献１】3GPP TSG-RAN TS25.215 v5.5.0, "Physical layer-Measurements(FDD)(Release 5)", 2003年9月
【発明の開示】
【発明が解決しようとする課題】
【０００５】
しかしながら、例えば個別チャネルが確立されることなく、複数の移動局装置が高速な下り共有チャネルのパケットを受信する移動体通信システムにおいては、各移動局装置は受信周波数を切り替えるべきタイミングを把握することができないという問題がある。そして、移動局装置が受信周波数を切り替えるべきタイミングを把握しないまま、ハンドオーバ先の基地局装置からの信号の無線品質を測定すると、この間にハンドオーバ元の基地局装置から共有チャネルを介してパケットが送信されてしまうことがある。このような場合、移動局装置は、受信周波数をハンドオーバ先の基地局装置に対応する周波数に切り替えているため、共有チャネルのパケットを受信することができず、パケットロスが発生して伝送効率が低下してしまう。
【０００６】
本発明はかかる点に鑑みてなされたものであり、パケットロスによる伝送効率の低下を防止しつつ、通信中の周波数とは異なる周波数の信号の無線品質を測定することができる無線ネットワーク装置、移動局装置、および周波数切替方法を提供することを目的とする。
【課題を解決するための手段】
【０００７】
本発明に係る無線ネットワーク装置は、複数の移動局装置から無線品質情報を受信する受信手段と、前記複数の移動局装置がそれぞれ周波数を切り替えるか否かを判定する判定手段と、前記複数の移動局装置に前記無線品質情報に応じたリソース割り当てを行う割当手段と、周波数を切り替えると判定された移動局装置にはリソースが割り当てられていないことを示すスケジューリング情報を送信する送信手段と、を有する構成を採る。
【０００８】
本発明に係る移動局装置は、複数の通信相手局からそれぞれ周波数が異なる信号を受信する受信手段と、受信信号を用いて無線品質を測定する測定手段と、周波数ごとの無線品質および当該無線品質が測定された時刻を記憶するテーブルと、所定の期間以上無線品質が測定されていない周波数に受信周波数を切り替えると判定する判定手段と、受信周波数を切り替える旨の周波数切替通知を送信する送信手段と、を有する構成を採る。
【０００９】
本発明に係る周波数切替方法は、複数の移動局装置から無線品質情報を受信するステップと、前記複数の移動局装置に対して、受信された無線品質情報に応じたリソース割り当てを行うステップと、リソースが割り当てられない移動局装置が周波数を切り替えると判定するステップと、を有するようにした。
【００１０】
本発明に係る周波数切替方法は、複数の移動局装置から無線品質情報を受信するステップと、前記複数の移動局装置がそれぞれ周波数を切り替えるか否かを判定するステップと、周波数を切り替えると判定された移動局装置を対象外として、前記無線品質情報に応じたリソース割り当てを行うステップと、を有するようにした。
【００１１】
これらによれば、スケジューリングの結果決定される移動局装置の通信時間と移動局装置が受信周波数を切り替えて無線品質を測定する時間とが重複せず、パケットロスによる伝送効率の低下を防止しつつ、通信中の周波数とは異なる周波数の信号の無線品質を測定することができる。
【発明の効果】
【００１２】
本発明によれば、パケットロスによる伝送効率の低下を防止しつつ、通信中の周波数とは異なる周波数の信号の無線品質を測定することができる。
【発明を実施するための最良の形態】
【００１３】
本発明の骨子は、スケジューリングの結果決定される移動局装置の通信時間と移動局装置が受信周波数を切り替えて無線品質を測定する時間とが重複しないように調整する点である。
【００１４】
以下、本発明の実施の形態について、図面を参照して詳細に説明する。
【００１５】
（実施の形態１）
図１は、本発明の実施の形態１に係る無線ネットワーク装置の要部構成を示すブロック図である。なお、無線ネットワーク装置とは、ＲＮＳ（Radio Network Subsystem）に対応する装置であり、ここでは、主に基地局装置としての機能を備えるとともに、一部基地局装置の上位装置である制御局装置としての機能を備えている。図１に示す無線ネットワーク装置は、ＲＦ（Radio Frequency：無線周波数）受信部１０１、復調部１０２、誤り訂正復号部１０３、分離部１０４、周波数品質テーブル１０５、ハンドオーバ判定部１０６、リソース割当部１０７、周波数切替判定部１０８、周波数切替指示生成部１０９、多重部１１０、誤り訂正符号化部１１１、変調部１１２、およびＲＦ送信部１１３を有している。
【００１６】
ＲＦ受信部１０１は、アンテナを介して信号を受信し、受信信号に対して所定の無線受信処理（ダウンコンバート、Ａ／Ｄ変換など）を施す。
【００１７】
復調部１０２は、受信信号を復調し、得られた復調信号を誤り訂正復号部１０３へ出力する。
【００１８】
誤り訂正復号部１０３は、復調信号を誤り訂正復号し、得られた復号データを分離部１０４へ出力する。
【００１９】
分離部１０４は、復号データに含まれる受信データを出力するとともに、復号データに含まれる無線品質情報を周波数品質テーブル１０５およびリソース割当部１０７へ出力する。なお、無線品質情報は、無線ネットワーク装置がカバーするセル内の移動局装置から報告される下り回線の無線品質に関する情報であり、自装置と各移動局装置との間の下り回線の無線品質に関する情報、または周波数が異なる周辺の無線ネットワーク装置と各移動局装置との間の下り回線の無線品質に関する情報である。
【００２０】
周波数品質テーブル１０５は、自装置の周波数および周辺の無線ネットワーク装置の周波数それぞれについて、各移動局装置から報告される無線品質を記憶している。すなわち、周波数品質テーブル１０５は、移動局装置とこの移動局装置が受信可能な範囲の無線ネットワーク装置からの信号の無線品質とを対応づけて記憶している。
【００２１】
ハンドオーバ判定部１０６は、周波数品質テーブル１０５を参照して、自装置の周波数の無線品質より周辺の無線ネットワーク装置の周波数の無線品質の方が良好な移動局装置を検索し、該当する移動局装置にハンドオーバを指示する旨のハンドオーバ情報を生成する。
【００２２】
リソース割当部１０７は、各移動局装置から報告される自装置の周波数の無線品質に基づいて、各移動局装置に対する変調方式および符号化率などのリソースの割り当てを決定し、スケジューリングを行う。具体的には、リソース割当部１０７は、無線品質が良好な移動局装置には高速な伝送レートに対応するリソースを割り当てる一方、無線品質が劣悪な移動局装置にはリソースを割り当てずに信号を送信しないことにする。そして、リソース割当部１０７は、スケジューリング結果を周波数切替判定部１０８へ通知するとともに、スケジューリング結果を示すスケジューリング情報を生成して多重部１１０へ出力する。
【００２３】
周波数切替判定部１０８は、スケジューリング結果から周波数の切り替えが可能な移動局装置を選択し、選択された移動局装置を周波数切替指示生成部１０９へ通知する。具体的には、周波数切替判定部１０８は、スケジューリングの結果、リソースが割り当てられずに無線ネットワーク装置から信号が送信されない移動局装置を周波数の切り替えが可能な移動局装置として選択する。
【００２４】
周波数切替指示生成部１０９は、周波数切替判定部１０８から通知された移動局装置に対して周波数の切り替えを指示する周波数切替指示を生成し、多重部１１０へ出力する。なお、周波数切替指示には、無線ネットワーク装置間でコアネットワークを介して交換されたパラメータなどに基づいて、周波数の切り替えが可能な移動局装置の情報と周辺の無線ネットワーク装置の周波数の情報とが含まれている。したがって、周波数切替指示を受信した移動局装置は、自装置が受信周波数を切り替え可能であるか否かを判定できるとともに、受信周波数を切り替える場合には、切り替えるべき周辺の無線ネットワーク装置の周波数を把握することができる。
【００２５】
多重部１１０は、ハンドオーバ情報、周波数切替指示、スケジューリング情報、送信データ、およびＣＰＩＣＨの信号（共通パイロット信号）を多重し、得られた多重データを誤り訂正符号化部１１１へ出力する。このとき、多重部１１０は、ハンドオーバ情報、周波数切替指示、およびスケジューリング情報を共通制御チャネルに多重する。
【００２６】
誤り訂正符号化部１１１は、多重データを誤り訂正符号化し、得られた符号化データを変調部１１２へ出力する。
【００２７】
変調部１１２は、符号化データを変調し、得られた変調信号をＲＦ送信部１１３へ出力する。
【００２８】
ＲＦ送信部１１３は、変調信号に対して所定の無線送信処理（Ｄ／Ａ変換、アップコンバートなど）を施し、アンテナを介して送信する。
【００２９】
図２は、本実施の形態に係る移動局装置の要部構成を示すブロック図である。図２に示す移動局装置は、ＲＦ受信部２０１、復調部２０２、誤り訂正復号部２０３、分離部２０４、無線品質測定部２０５、無線品質情報生成部２０６、周波数切替制御部２０７、多重部２０８、誤り訂正符号化部２０９、変調部２１０、およびＲＦ送信部２１１を有している。
【００３０】
ＲＦ受信部２０１は、アンテナを介して信号を受信し、受信信号に対して処置の無線送信処理（ダウンコンバート、Ａ／Ｄ変換など）を施す。なお、ＲＦ受信部２０１は、周波数切替制御部２０７の制御に従って受信周波数を切り替え、現在通信を行っている無線ネットワーク装置の周波数の信号、またはハンドオーバ先の候補となる周辺の無線ネットワーク装置の周波数の信号を受信する。
【００３１】
復調部２０２は、受信信号を復調し、得られた復調信号を誤り訂正復号部２０３および無線品質測定部２０５へ出力する。
【００３２】
誤り訂正復号部２０３は、復調信号を誤り訂正復号し、得られた復号データを分離部２０４へ出力する。
【００３３】
分離部２０４は、復号データに含まれる受信データを出力するとともに、復号データに含まれる周波数切替指示を周波数切替制御部２０７へ出力する。
【００３４】
無線品質測定部２０５は、復調信号を用いて無線品質を測定し、測定結果を無線品質情報生成部２０６へ通知する。無線品質測定部２０５は、ＲＦ受信部２０１によって受信周波数が切り替えられていなければ、通信中の無線ネットワーク装置からの共通パイロット信号を用いて無線品質を測定し、ＲＦ受信部２０１によって受信周波数が切り替えられていれば、ハンドオーバ先の候補となる無線ネットワーク装置からの共通パイロット信号を用いて無線品質を測定する。
【００３５】
無線品質情報生成部２０６は、無線品質を測定した周波数と無線品質の測定結果を含む無線品質情報を生成して多重部２０８へ出力する。すなわち、無線品質情報生成部２０６は、通信中の無線ネットワーク装置または周辺の無線ネットワーク装置のいずれかの周波数と、この周波数における無線品質の測定結果とを含む無線品質情報を生成する。
【００３６】
周波数切替制御部２０７は、周波数切替指示を参照して、自装置が周波数を切り替えるべきか否かを判定し、周波数を切り替える場合は、さらに周波数切替指示を参照して、切り替えるべき周波数をＲＦ受信部２０１へ通知する。すなわち、周波数切替制御部２０７は、自装置にリソースが割り当てられず無線ネットワーク装置から信号が送信されない場合は、受信周波数をハンドオーバ先の候補となる周辺の無線ネットワーク装置の周波数に切り替えるようにＲＦ受信部２０１へ指示する。
【００３７】
多重部２０８は、無線品質情報および送信データを多重し、得られた多重データを誤り訂正符号化部２０９へ出力する。
【００３８】
誤り訂正符号化部２０９は、多重データを誤り訂正符号化し、得られた符号化データを変調部２１０へ出力する。
【００３９】
変調部２１０は、符号化データを変調し、得られた変調信号をＲＦ送信部２１１へ出力する。
【００４０】
ＲＦ送信部２１１は、変調信号に対して所定の無線送信処理（Ｄ／Ａ変換、アップコンバートなど）を施し、アンテナを介して送信する。
【００４１】
次いで、本実施の形態に係る無線ネットワーク装置および移動局装置による周波数切替時の動作について、図３および図４に示すシーケンス図を参照して説明する。図３および図４においては、移動局装置は、周波数ｆ１で運用される無線ネットワーク装置＃１と通信中であり、無線ネットワーク装置＃１の周辺には周波数ｆ１と異なる周波数ｆ２で運用される無線ネットワーク装置＃２が配置されているものとする。また、無線ネットワーク装置＃１および無線ネットワーク装置＃２は、いずれも図１に示した構成を有しており、移動局装置は、図２に示した構成を有している。
【００４２】
図３は、移動局装置にリソースが割り当てられる場合、換言すれば、通信中の無線ネットワーク装置＃１から移動局装置宛てに信号が送信される場合のシーケンス図である。
【００４３】
無線ネットワーク装置＃１からは共通パイロット信号が随時送信されており、この共通パイロット信号は、受信周波数が周波数ｆ１に設定されている移動局装置のＲＦ受信部２０１によって受信される（３０１）。受信された共通パイロット信号は、ＲＦ受信部２０１および復調部２０２を経て、無線品質測定部２０５へ出力される。そして、無線品質測定部２０５によって、周波数ｆ１の共通パイロット信号の無線品質が測定される（３０２）。すなわち、無線ネットワーク装置＃１と移動局装置との間の下り回線の無線品質が測定される。
【００４４】
無線品質の測定結果は、無線品質情報生成部２０６へ通知され、無線品質情報生成部２０６によって、周波数ｆ１の無線品質を示す無線品質情報が生成される。無線品質情報は、多重部２０８、誤り訂正符号化部２０９、変調部２１０、およびＲＦ送信部２１１を経て、アンテナを介して送信される。
【００４５】
送信された周波数ｆ１の無線品質情報は、無線ネットワーク装置＃１のＲＦ受信部１０１によって受信される（３０３）。受信された無線品質情報は、ＲＦ受信部１０１、復調部１０２、誤り訂正復号部１０３、および分離部１０４を経て、周波数品質テーブル１０５およびリソース割当部１０７へ出力される。無線品質情報が周波数品質テーブル１０５へ出力されると、無線品質情報の送信元である移動局装置に対応する周波数ｆ１の無線品質として、新たに無線品質情報によって報告された周波数ｆ１の無線品質が記憶され、周波数品質テーブル１０５が更新される。さらに、ハンドオーバ判定部１０６によって、周波数品質テーブル１０５が参照されることにより、周波数ｆ１と周波数ｆ２の無線品質が比較され、ハンドオーバの有無が判定される。ただし、図３に示す移動局装置に関しては、周波数ｆ２の無線品質が測定されていないため、無線品質の比較は行われず、ハンドオーバは行われない。ハンドオーバ判定部１０６による無線品質の比較の結果、ハンドオーバ情報が生成され、多重部１１０へ出力される。
【００４６】
一方、無線品質情報がリソース割当部１０７へ出力されると、この無線品質情報によって報告される周波数ｆ１の無線品質および他の移動局装置から報告される周波数ｆ１の無線品質から、各移動局装置に対するリソースの割り当てを決定するスケジューリングが行われる（３０４）。具体的には、リソース割当部１０７によって、周波数ｆ１の無線品質が良好な移動局装置には比較的高速な伝送レートに対応する変調方式および符号化率が割り当てられる一方、周波数ｆ１の無線品質が劣悪な移動局装置には比較的低速な伝送レートに対応する変調方式および符号化率が割り当てられるかこの移動局装置には信号を送信しないことが決定される。ここでは、上述したように、図３に示す移動局装置にはリソースが割り当てられ、無線ネットワーク装置＃１から信号が送信されると決定される。スケジューリングの結果は、周波数切替判定部１０８へ通知されるとともに、スケジューリング情報として多重部１１０へ出力される。
【００４７】
そして、周波数切替判定部１０８によって、リソースが割り当てられていない移動局装置が周波数の切り替え可能な移動局装置として選択され、周波数切替指示生成部１０９へ通知される。図３に示す移動局装置は、リソースが割り当てられているため、周波数切替判定部１０８によって選択されることはない。そして、周波数切替指示生成部１０９によって、周波数切替指示が生成され、多重部１１０へ出力される。
【００４８】
そして、多重部１１０によって、ハンドオーバ情報、周波数切替指示、スケジューリング情報、および共通パイロット信号が多重され、誤り訂正符号化部１１１、変調部１１２、およびＲＦ送信部１１３を経て、アンテナを介して送信される。なお、ハンドオーバ情報、周波数切替指示、およびスケジューリング情報は、共通制御チャネルに多重され、制御信号となる。
【００４９】
送信された信号は、移動局装置のＲＦ受信部２０１によって受信される（３０５）。受信信号は、ＲＦ受信部２０１および復調部２０２を経て、制御信号は、誤り訂正復号部２０３によって誤り訂正復号され、分離部２０４によってハンドオーバ情報および周波数切替指示が周波数切替制御部２０７へ出力され、その他のスケジューリング情報を含むデータは受信データとして出力される。スケジューリング情報は、以後に無線ネットワーク装置＃１から送信される信号の変調方式および符号化率などの情報を含んでいるため、移動局装置は、復調部２０２および誤り訂正復号部２０３における変調方式および符号化率を設定しておく。
【００５０】
また、ハンドオーバ情報および周波数切替指示は、いずれも図３に示す移動局装置が周波数を切り替える必要がないことを示すものであるため、周波数切替制御部２０７によってＲＦ受信部２０１の受信周波数が切り替えられることはない。すなわち、上述したように、図３に示す移動局装置は、ここではハンドオーバをすることはなく、かつ、リソースが割り当てられているため、ＲＦ受信部２０１の受信周波数を無線ネットワーク装置＃２の周波数ｆ２に切り替えることはない。
【００５１】
このような移動局装置の動作が行われている間、無線ネットワーク装置＃１では、送信処理が行われている（３０６）。すなわち、リソース割当部１０７によって決定された移動局装置ごとの符号化率および変調方式が誤り訂正符号化部１１１および変調部１１２にそれぞれ設定され、各移動局装置宛ての信号が共有チャネルを介して送信される。
【００５２】
送信された信号は、移動局装置のＲＦ受信部２０１によって受信される（３０７）。受信信号は、ＲＦ受信部２０１、復調部２０２、および誤り訂正復号部２０３によって受信処理が施される（３０８）。具体的には、ＲＦ受信部２０１によって所定の無線受信処理が施され、復調部２０２によって復調され、誤り訂正復号部２０３によって誤り訂正復号される。このとき、すでにスケジューリング情報に従って変調方式および符号化率が適正に設定されているため、正しく復調および誤り訂正復号を行うことができる。そして、誤り訂正復号結果は、分離部２０４を経て受信データとして出力される。なお、移動局装置は、この受信処理の結果、正しく受信データが得られた否かを示す受信応答を無線ネットワーク装置＃１へフィードバックするようにしても良い（３０９）。
【００５３】
図４は、移動局装置にリソースが割り当てられない場合、換言すれば、通信中の無線ネットワーク装置＃１から移動局装置宛てに信号が送信されない場合のシーケンス図である。同図において、図３と同じ部分には同じ符号を付し、詳しい説明を省略する。
【００５４】
無線ネットワーク装置＃１からは共通パイロット信号が随時送信されており、この共通パイロット信号は、ＲＦ受信部２０１によって受信され（３０１）、無線品質測定部２０５によって無線品質が測定される（３０２）。測定された無線品質を示す無線品質情報は、無線ネットワーク装置＃１へ送信され、無線ネットワーク装置＃１のＲＦ受信部１０１によって受信される（３０３）。無線品質情報は、ＲＦ受信部１０１、復調部１０２、誤り訂正復号部１０３、および分離部１０４を経て、周波数品質テーブル１０５およびリソース割当部１０７へ出力される。そして、周波数品質テーブル１０５が更新され、ハンドオーバ判定部１０６によって、周波数ｆ１および周波数ｆ２それぞれの無線品質が比較され、ハンドオーバの有無が判定される。ただし、図４に示す移動局装置に関しては、周波数ｆ２の無線品質が測定されていないため、無線品質の比較は行われず、ハンドオーバは行われない。ハンドオーバ判定部１０６による無線品質の比較の結果、ハンドオーバ情報が生成され、多重部１１０へ出力される。
【００５５】
一方、無線品質情報がリソース割当部１０７へ出力されると、この無線品質情報によって報告される周波数ｆ１の無線品質および他の移動局装置から報告される周波数ｆ１の無線品質から、各移動局装置に対するリソースの割り当てを決定するスケジューリングが行われる（３０４）。ここでは、上述したように、図４に示す移動局装置にはリソースが割り当てられず、無線ネットワーク装置＃１から信号が送信されないと決定される。スケジューリングの結果は、周波数切替判定部１０８へ通知されるとともに、スケジューリング情報として多重部１１０へ出力される。
【００５６】
そして、周波数切替判定部１０８によって、リソースが割り当てられていない移動局装置が周波数の切り替え可能な移動局装置として選択され、周波数切替指示生成部１０９へ通知される。図４に示す移動局装置は、リソースが割り当てられていないため、周波数切替判定部１０８によって、周波数切替可能な移動局装置として選択される。そして、周波数切替指示生成部１０９によって、図４に示す移動局装置が周波数を切り替える旨の周波数切替指示が生成され、多重部１１０へ出力される。
【００５７】
そして、多重部１１０によって、ハンドオーバ情報、周波数切替指示、スケジューリング情報、および共通パイロット信号が多重され、誤り訂正符号化部１１１、変調部１１２、およびＲＦ送信部１１３を経て、アンテナを介して送信される。なお、ハンドオーバ情報、周波数切替指示、およびスケジューリング情報は、共通制御チャネルに多重され、制御信号となる。
【００５８】
周波数の切り替えを指示する旨の周波数切替指示を含む信号は、移動局装置のＲＦ受信部２０１によって受信される（４０１）。受信信号は、ＲＦ受信部２０１および復調部２０２を経て、制御信号は、誤り訂正復号部２０３によって誤り訂正復号され、分離部２０４によってハンドオーバ情報および周波数切替指示が周波数切替制御部２０７へ出力され、その他のスケジューリング情報を含むデータは受信データとして出力される。スケジューリング情報は、以後に無線ネットワーク装置＃１から送信される信号の変調方式および符号化率などの情報を含んでいるが、ここでは図４に示す移動局装置にリソースが割り当てられていないため、移動局装置は、復調部２０２および誤り訂正復号部２０３における変調方式および符号化率を変更しない。
【００５９】
また、ハンドオーバ情報は、図４に示す移動局装置がハンドオーバしないことを示しているが、周波数切替指示は、図４に示す移動局装置が周波数の切り替え可能であることを示しているため、周波数切替制御部２０７によってＲＦ受信部２０１の受信周波数が無線ネットワーク装置＃２の周波数ｆ２へ切り替えられる（４０２）。なお、無線ネットワーク装置＃１は、周辺に位置する無線ネットワーク装置＃２の周波数ｆ２をパラメータ交換などにより把握しているため、周波数切替指示には、周波数を切り替える旨と切り替えるべき周波数ｆ２とが含まれている。したがって、周波数切替制御部２０７によって、切り替えるべき周波数ｆ２も指定される。
【００６０】
そして、ＲＦ受信部２０１の受信周波数が周波数ｆ２に切り替えられることにより、無線ネットワーク装置＃２から随時送信されている共通パイロット信号がＲＦ受信部２０１によって受信される（４０３）。受信された共通パイロット信号は、ＲＦ受信部２０１および復調部２０２を経て、無線品質測定部２０５へ出力される。そして、無線品質測定部２０５によって、周波数ｆ２の共通パイロット信号の無線品質が測定される（４０４）。すなわち、無線ネットワーク装置＃２と移動局装置との間の下り回線の無線品質が測定される。
【００６１】
無線品質の測定結果は、無線品質情報生成部２０６へ通知され、無線品質情報生成部２０６によって、周波数ｆ２の無線品質を示す無線品質情報が生成される。また、無線ネットワーク装置＃２からの共通パイロット信号を受信した後、ＲＦ受信部２０１の受信周波数は、無線ネットワーク装置＃１の周波数ｆ１に戻される（４０５）。無線品質情報は、多重部２０８、誤り訂正符号化部２０９、変調部２１０、およびＲＦ送信部２１１を経て、アンテナを介して送信される。
【００６２】
送信された周波数ｆ２の無線品質情報は、無線ネットワーク装置＃１のＲＦ受信部１０１によって受信される（４０６）。受信された無線品質情報は、ＲＦ受信部１０１、復調部１０２、誤り訂正復号部１０３、および分離部１０４を経て、周波数品質テーブル１０５へ出力される。無線品質情報が周波数品質テーブル１０５へ出力されると、無線品質情報の送信元である移動局装置に対応する周波数ｆ２の無線品質として、新たに無線品質情報として報告された周波数ｆ２の無線品質が記憶され、周波数品質テーブル１０５が更新される。さらに、ハンドオーバ判定部１０６によって、周波数品質テーブル１０５が参照されることにより、周波数ｆ１と周波数ｆ２の無線品質が比較され、ハンドオーバの有無が判定される。すなわち、周波数ｆ１の無線品質の方が良好であれば、図４に示す移動局装置はハンドオーバを行わず引き続き無線ネットワーク装置＃１と通信を行うと決定され、周波数ｆ２の無線品質の方が良好であれば、図４に示す移動局装置はハンドオーバを行って無線ネットワーク装置＃２と通信を行うと決定される。この結果から、ハンドオーバ判定部１０６によってハンドオーバ情報が生成され、多重部１１０へ出力される。
【００６３】
ハンドオーバ情報は、多重部１１０、誤り訂正符号化部１１１、変調部１１２、およびＲＦ送信部１１３を経て、アンテナを介して移動局装置へ送信される。そして、移動局装置は、ハンドオーバ情報を参照して、ＲＦ受信部２０１の受信周波数を周波数ｆ２に切り替えてハンドオーバを行うか、または、ＲＦ受信部２０１の受信周波数を周波数ｆ１としたまま再び無線ネットワーク装置＃１の共通パイロット信号を受信して無線品質を測定する。
【００６４】
以上のように、本実施の形態によれば、無線ネットワーク装置によるスケジューリングの結果、リソースが割り当てられず信号を受信する予定がない移動局装置のみが受信周波数を一時的に切り替え、周辺の無線ネットワーク装置との間の下り回線の無線品質を測定する。このため、移動局装置が受信周波数を切り替えている間にこの移動局装置に対して信号が送信されることがなく、パケットロスによる伝送効率の低下を防止しつつ、通信中の周波数とは異なる周波数の信号の無線品質を測定することができる。
【００６５】
（実施の形態２）
本発明の実施の形態２の特徴は、各移動局装置に関する周波数ごとの無線品質の測定履歴を参照して、長期間無線品質が測定されていない周波数の無線品質を測定する点である。
【００６６】
図５は、本実施の形態に係る無線ネットワーク装置の要部構成を示すブロック図である。同図において、図１と同じ部分には同じ符号を付し、その説明を省略する。図５に示す無線ネットワーク装置は、図１の周波数品質テーブル１０５、リソース割当部１０７、および周波数切替判定部１０８に代えて、それぞれ周波数品質テーブル１０５ａ、リソース割当部１０７ａ、および周波数切替判定部１０８ａを有している。
【００６７】
周波数品質テーブル１０５ａは、自装置の周波数および周辺の無線ネットワーク装置の周波数それぞれについて、各移動局装置から報告される無線品質を記憶している。また、周波数品質テーブル１０５ａは、記憶されている周波数ごとの無線品質がそれぞれの移動局装置によっていつ測定されたかを記憶している。すなわち、周波数品質テーブル１０５ａは、移動局装置とこの移動局装置が受信可能な範囲の無線ネットワーク装置からの信号の無線品質とを対応づけるとともに、移動局装置によって無線品質が測定された最新の時刻を周波数ごとに記憶している。
【００６８】
リソース割当部１０７ａは、各移動局装置から報告される自装置の周波数の無線品質に基づいて、各移動局装置に対する変調方式および符号化率などのリソースの割り当てを決定し、スケジューリングを行う。ただし、リソース割当部１０７ａは、後述する周波数切替判定部１０８ａから通知される移動局装置にはリソースを割り当てないようにスケジューリングを行う。そして、リソース割当部１０７ａは、スケジューリング結果を示すスケジューリング情報を生成して多重部１１０へ出力する。
【００６９】
周波数切替判定部１０８ａは、周波数品質テーブル１０５ａを参照して、移動局装置ごとに、所定の期間以上無線品質が測定されていない周波数があるか否かを判定し、所定の期間以上無線品質が測定されていない周波数がある移動局装置に対して、この周波数の無線品質を測定させると決定する。すなわち、周波数切替判定部１０８ａは、長期間無線品質が測定されていない周波数の無線品質を更新するために、この周波数の無線品質を測定していない移動局装置を周波数を切り替える移動局装置として選択する。そして、周波数切替判定部１０８ａは、選択した移動局装置をリソース割当部１０７ａおよび周波数切替指示生成部１０９へ通知する。
【００７０】
本実施の形態に係る移動局装置は、実施の形態１（図２）と同じ構成を有しているため、その説明を省略する。
【００７１】
次いで、本実施の形態に係る無線ネットワーク装置および移動局装置による周波数切替時の動作について、図６に示すシーケンス図を参照して説明する。図６においては、移動局装置は、周波数ｆ１で運用される無線ネットワーク装置＃１と通信中であり、無線ネットワーク装置＃１の周辺には周波数ｆ１と異なる周波数ｆ２で運用される無線ネットワーク装置＃２が配置されているものとする。また、無線ネットワーク装置＃１および無線ネットワーク装置＃２は、いずれも図５に示した構成を有しており、移動局装置は、図２に示した構成を有している。
【００７２】
本実施の形態においては、移動局装置が受信周波数を周波数ｆ２へ切り替えない場合の動作は、実施の形態１（図３）と同様であるため、その説明を省略する。
【００７３】
図６は、移動局装置が受信周波数を周波数ｆ２へ切り替える場合、換言すれば、所定の期間以上周波数ｆ２の無線品質が測定されていない場合のシーケンス図である。同図において、図３および図４と同じ部分には同じ符号を付し、詳しい説明を省略する。
【００７４】
無線ネットワーク装置＃１からは共通パイロット信号が随時送信されており、この共通パイロット信号は、ＲＦ受信部２０１によって受信され（３０１）、無線品質測定部２０５によって無線品質が測定される（３０２）。測定された無線品質を示す無線品質情報は、無線ネットワーク装置＃１へ送信され、無線ネットワーク装置＃１のＲＦ受信部１０１によって受信される（３０３）。無線品質情報は、ＲＦ受信部１０１、復調部１０２、誤り訂正復号部１０３、および分離部１０４を経て、周波数品質テーブル１０５ａおよびリソース割当部１０７ａへ出力される。そして、周波数品質テーブル１０５ａが更新され、ハンドオーバ判定部１０６によって、周波数ｆ１および周波数ｆ２それぞれの無線品質が比較され、ハンドオーバの有無が判定される。ただし、図６に示す移動局装置に関しては、周波数ｆ２の無線品質が測定されていないため、無線品質の比較は行われず、ハンドオーバは行われない。ハンドオーバ判定部１０６による無線品質の比較の結果、ハンドオーバ情報が生成され、多重部１１０へ出力される。
【００７５】
また、周波数品質テーブル１０５ａが更新されると、周波数切替判定部１０８ａによって、各移動局装置が周波数を切り替えるべきか否かが判定される（５０１）。すなわち、周波数切替判定部１０８ａによって、所定の期間以上無線品質が測定されていない周波数が検索され、検索された周波数に対応する移動局装置が周波数を切り替える移動局装置として選択される。選択された移動局装置は、リソース割当部１０７ａおよび周波数切替指示生成部１０９へ通知される。ここでは、図６に示す移動局装置は、所定の期間以上周波数ｆ２の無線品質を測定していないため、周波数切替判定部１０８ａによって、周波数を切り替える移動局装置として選択される。そして、周波数切替指示生成部１０９によって、図６に示す移動局装置が受信周波数を周波数ｆ２へ切り替える旨の周波数切替指示が生成され、多重部１１０へ出力される。
【００７６】
周波数を切り替える移動局装置がリソース割当部１０７ａへ通知されると、通知された移動局装置はスケジューリングの対象から除外された上で、無線品質情報によって報告される周波数ｆ１の無線品質から、各移動局装置に対するリソースの割り当てを決定するスケジューリングが行われる（５０２）。したがって、図６に示す移動局装置にはリソースが割り当てられず、無線ネットワーク装置＃１から信号が送信されないと決定される。スケジューリングの結果は、スケジューリング情報として多重部１１０へ出力される。
【００７７】
そして、多重部１１０によって、ハンドオーバ情報、周波数切替指示、スケジューリング情報、および共通パイロット信号が多重され、誤り訂正符号化部１１１、変調部１１２、およびＲＦ送信部１１３を経て、アンテナを介して送信される。なお、ハンドオーバ情報、周波数切替指示、およびスケジューリング情報は、共通制御チャネルに多重され、制御信号となる。
【００７８】
周波数の切り替えを指示する旨の周波数切替指示を含む信号は、移動局装置のＲＦ受信部２０１によって受信される（４０１）。以下、実施の形態１（図４）と同様に、周波数切替制御部２０７によってＲＦ受信部２０１の受信周波数が一時的に周波数ｆ２へ切り替えられ（４０２）、無線ネットワーク装置＃２から随時送信されている共通パイロット信号が受信される（４０３）。そして、移動局装置は、無線ネットワーク装置＃２からの共通パイロット信号を用いて周波数ｆ２の無線品質を測定し（４０４）、ＲＦ受信部２０１の受信周波数を周波数ｆ１に戻した上で（４０５）、周波数ｆ２の無線品質情報を無線ネットワーク装置＃１へ報告する（４０６）。
【００７９】
そして、無線ネットワーク装置＃１によって周波数ｆ２の無線品質情報が受信されると、周波数品質テーブル１０５ａが更新され、ハンドオーバ判定部１０６によって、ハンドオーバの有無が判定される。ハンドオーバの有無を示すハンドオーバ情報は、移動局装置へ送信され、移動局装置は、ハンドオーバ情報に従ってハンドオーバを行うか、または再び無線ネットワーク装置＃１の共通パイロット信号を受信して無線品質を測定する。
【００８０】
以上のように、本実施の形態によれば、所定の期間以上無線品質が測定されていない周波数に対応する移動局装置に対してはリソースが割り当てられないようにスケジューリングが行われるとともに、この移動局装置が受信周波数を一時的に切り替え、周辺の無線ネットワーク装置との間の下り回線の無線品質を測定する。このため、移動局装置が受信周波数を切り替えている間にこの移動局装置に対して信号が送信されることがなく、パケットロスによる伝送効率の低下を防止しつつ、通信中の周波数とは異なる周波数の信号の無線品質を測定することができる。また、無線ネットワーク装置に記憶される周波数の無線品質が古くなることがなく、実際の下り回線の状況を反映した無線品質となっているため、ハンドオーバの有無を正確に判定することができ、伝送効率をさらに向上することができる。
【００８１】
（実施の形態３）
本発明の実施の形態３の特徴は、移動局装置が受信周波数を切り替えることを決定し、その旨を通信中の無線ネットワーク装置へ通知する点である。
【００８２】
図７は、本実施の形態に係る無線ネットワーク装置の要部構成を示すブロック図である。同図において、図１と同じ部分には同じ符号を付し、その説明を省略する。図７に示す無線ネットワーク装置は、図１から周波数切替判定部１０８および周波数切替指示生成部１０９を削除するとともに周波数切替通知検出部６０１を追加し、図１のリソース割当部１０７に代えてリソース割当部１０７ｂを有している。
【００８３】
周波数切替通知検出部６０１は、移動局装置から送信される周波数切替通知を検出し、周波数を切り替える移動局装置をリソース割当部１０７ｂへ通知する。周波数切替通知は、周辺の無線ネットワーク装置との間の下り回線の無線品質を測定するために移動局装置が周波数を切り替えることを示す通知である。
【００８４】
リソース割当部１０７ｂは、各移動局装置から報告される自装置の周波数の無線品質に基づいて、各移動局装置に対する変調方式および符号化率などのリソースの割り当てを決定し、スケジューリングを行う。ただし、リソース割り当て部１０７ｂは、周波数切替通知検出部６０１から通知される移動局装置にはリソースを割り当てないようにスケジューリングを行う。そして、リソース割当部１０７ｂは、スケジューリング結果を示すスケジューリング情報を生成して多重部１１０へ出力する。
【００８５】
図８は、本実施の形態に係る移動局装置の要部構成を示すブロック図である。同図において、図２と同じ部分には同じ符号を付し、その説明を省略する。図８に示す移動局装置は、図２から分離部２０４を削除するとともに周波数品質テーブル７０１および周波数切替通知生成部７０２を追加し、図２の周波数切替制御部２０７に代えて周波数切替制御部２０７ａを有している。
【００８６】
周波数品質テーブル７０１は、自装置が通信可能な範囲の無線ネットワーク装置の周波数それぞれについて、無線品質測定部２０５によって測定される無線品質を記憶している。また、周波数品質テーブル７０１は、記憶されている周波数ごとの無線品質がいつ測定されたかを記憶している。すなわち、周波数品質テーブル７０１は、自装置と自装置が通信可能な範囲の無線ネットワーク装置からの信号の無線品質とを対応づけるとともに、自装置が無線品質を測定した最新の時刻を周波数ごとに記憶している。
【００８７】
周波数切替通知生成部７０２は、周波数品質テーブル７０１を参照して、所定の期間以上無線品質が測定されていない周波数があるか否かを判定し、所定の期間以上無線品質が測定されていない周波数の無線品質を測定すると決定する。すなわち、周波数切替通知生成部７０２は、長期間無線品質が測定されていない周波数の無線品質を更新するために、この周波数にＲＦ受信部２０１の受信周波数を切り替えると決定する。そして、周波数切替通知生成部７０２は、周波数を切り替える旨と切り替え先の周波数とを含む周波数切替通知を生成し、周波数切替制御部２０７ａおよび多重部２０８へ出力する。このとき、周波数切替通知生成部７０２は、自装置が無線品質の測定に要する時間を考慮して周波数を切り替えるタイミングを決定し、周波数切替通知を生成する。
【００８８】
周波数切替制御部２０７ａは、周波数切替通知を参照して、周波数を切り替えるべきか否かを判定し、周波数を切り替える場合は、さらに周波数切替通知を参照して、切り替えるべき周波数をＲＦ受信部２０１へ通知する。すなわち、周波数切替制御部２０７ａは、周波数品質テーブル７０１において無線品質が長期間更新されていない周波数がある場合は、受信周波数をこの周波数に切り替えるようにＲＦ受信部２０１へ指示する。
【００８９】
次いで、本実施の形態に係る無線ネットワーク装置および移動局装置による周波数切替時の動作について、図９および図１０に示すシーケンス図を参照して説明する。図９および図１０においては、移動局装置は、周波数ｆ１で運用される無線ネットワーク装置＃１と通信中であり、無線ネットワーク装置＃１の周辺には周波数ｆ１と異なる周波数ｆ２で運用される無線ネットワーク装置＃２が配置されているものとする。また、無線ネットワーク装置＃１および無線ネットワーク装置＃２は、いずれも図７に示した構成を有しており、移動局装置は、図８に示した構成を有している。
【００９０】
図９は、移動局装置が受信周波数を周波数ｆ２へ切り替えない場合、換言すれば、すべての周波数の無線品質が所定の期間以内に測定されている場合のシーケンス図である。同図において、図３と同じ部分には同じ符号を付し、詳しい説明を省略する。
【００９１】
無線ネットワーク装置＃１からは共通パイロット信号が随時送信されており、この共通パイロット信号は、ＲＦ受信部２０１によって受信され（３０１）、無線品質測定部２０５によって無線品質が測定される（３０２）。無線品質の測定結果は、周波数品質テーブル７０１および無線品質情報生成部２０６へ通知され、周波数品質テーブル７０１が更新されるとともに、無線品質情報生成部２０６によって、周波数ｆ１の無線品質を示す無線品質情報が生成される。生成された無線品質情報は、多重部２０８へ出力される。
【００９２】
また、周波数品質テーブル７０１が更新されると、周波数切替通知生成部７０２によって、いずれかの周波数の無線品質を測定するべきか否かが判定される（８０１）。すなわち、周波数切替通知生成部７０２によって、所定の期間以上無線品質が測定されていない周波数が検索され、ＲＦ受信部２０１の受信周波数を検索された周波数に切り替えて無線品質を測定する旨の周波数切替通知が生成される。ここでは、上述したように、すべての周波数の無線品質が所定の期間以内に測定されているため、周波数切替通知生成部７０２によって、周波数切替通知が生成されることはない。
【００９３】
そして、無線品質情報が多重部２０８、誤り訂正符号化部２０９、変調部２１０、およびＲＦ送信部２１１を経て、無線ネットワーク装置＃１へ送信され、無線ネットワーク装置＃１のＲＦ受信部１０１によって受信される（３０３）。受信信号は、ＲＦ受信部１０１、復調部１０２、誤り訂正復号部１０３、および分離部１０４を経て、周波数品質テーブル１０５および周波数切替通知検出部６０１へ出力される。そして、受信信号に含まれる無線品質情報によって、周波数品質テーブル１０５が更新され、ハンドオーバ判定部１０６によって、周波数ｆ１および周波数ｆ２それぞれの無線品質が比較され、ハンドオーバの有無が判定される。ただし、図９に示す移動局装置に関しては、周波数ｆ２の無線品質が測定されていないため、無線品質の比較は行われず、ハンドオーバは行われない。ハンドオーバ判定部１０６による無線品質の比較の結果、ハンドオーバ情報が生成され、多重部１１０へ出力される。
【００９４】
一方、受信信号が周波数切替通知検出部６０１へ出力されると、受信信号から周波数切替通知が検出される。ここでは、移動局装置から周波数切替通知が送信されていないため、周波数切替通知が検出されることはなく、受信信号に含まれる無線品質情報のみがリソース割当部１０７ｂへ出力される。そして、この無線品質情報によって報告される周波数ｆ１の無線品質から、各移動局装置に対するリソースの割り当てを決定するスケジューリングが行われる（８０２）。このとき、周波数切替通知検出部６０１によって周波数切替通知が検出されている場合は、周波数切替通知の送信元の移動局装置はスケジューリングの対象から除外された上で、スケジューリングが行われる。ただし、ここでは、周波数切替通知が検出されていないため、図９に示す移動局装置はスケジューリングの対象から除外されない。スケジューリングの結果は、スケジューリング情報として多重部１１０へ出力される。
【００９５】
そして、多重部１１０によって、ハンドオーバ情報、スケジューリング情報、および共通パイロット信号が多重され、誤り訂正符号化部１１１、変調部１１２、およびＲＦ送信部１１３を経て、アンテナを介して送信される。なお、ハンドオーバ情報およびスケジューリング情報は、共通制御チャネルに多重され、制御信号となる。
【００９６】
送信された信号は、移動局装置のＲＦ受信部２０１によって受信される（３０５）。受信信号に含まれるスケジューリング情報は、以後に無線ネットワーク装置＃１から送信される信号の変調方式および符号化率などの情報を含んでいるため、移動局装置は、復調部２０２および誤り訂正復号部２０３における変調方式および符号化率を設定しておく。また、受信信号に含まれるハンドオーバ情報は、図９に示す移動局装置がハンドオーバをしないことを示しているため、ＲＦ受信部２０１の受信周波数を無線ネットワーク装置＃２の周波数ｆ２に切り替えることはない。
【００９７】
このような移動局装置の動作が行われている間、無線ネットワーク装置＃１では、送信処理が行われ（３０６）、送信された信号が移動局装置のＲＦ受信部２０１によって受信される（３０７）。受信信号は、ＲＦ受信部２０１、復調部２０２、および誤り訂正復号部２０３によって受信処理が施される（３０８）。なお、移動局装置は、この受信処理の結果、正しく受信データが得られた否かを示す受信応答を無線ネットワーク装置＃１へフィードバックするようにしても良い（３０９）。
【００９８】
図１０は、移動局装置が受信周波数を周波数ｆ２へ切り替える場合、換言すれば、所定の期間以上周波数ｆ２の無線品質が測定されていない場合のシーケンス図である。同図において、図３、図４、および図９と同じ部分には同じ符号を付し、詳しい説明を省略する。
【００９９】
無線ネットワーク装置＃１からは共通パイロット信号が随時送信されており、この共通パイロット信号は、ＲＦ受信部２０１によって受信され（３０１）、無線品質測定部２０５によって無線品質が測定される（３０２）。無線品質の測定結果から、周波数品質テーブル７０１が更新され、無線品質情報生成部２０６によって、周波数ｆ１の無線品質を示す無線品質情報が生成される。生成された無線品質情報は、多重部２０８へ出力される。
【０１００】
また、周波数品質テーブル７０１が更新されると、周波数切替通知生成部７０２によって、いずれかの周波数の無線品質を測定するべきか否かが判定される（８０１）。すなわち、周波数切替通知生成部７０２によって、所定の期間以上無線品質が測定されていない周波数が検索され、ＲＦ受信部２０１の受信周波数を検索された周波数に切り替えて無線品質を測定する旨の周波数切替通知が生成される。ここでは、上述したように、所定の期間以上周波数ｆ２の無線品質が測定されていないため、周波数切替通知生成部７０２によって、ＲＦ受信部２０１の受信周波数を周波数ｆ２へ切り替える旨の周波数切替通知が生成される。この周波数切替通知は、移動局装置が無線品質の測定に要する時間を考慮したタイミングで生成される。生成された周波数切替通知は、周波数切替制御部２０７ａおよび多重部２０８へ出力される。
【０１０１】
そして、無線品質情報および周波数切替通知が多重部２０８、誤り訂正符号化部２０９、変調部２１０、およびＲＦ送信部２１１を経て、無線ネットワーク装置＃１へ送信され、無線ネットワーク装置＃１のＲＦ受信部１０１によって受信される（８０３）。受信信号は、ＲＦ受信部１０１、復調部１０２、誤り訂正復号部１０３、および分離部１０４を経て、周波数品質テーブル１０５および周波数切替通知検出部６０１へ出力される。そして、受信信号に含まれる無線品質情報によって、周波数品質テーブル１０５が更新され、ハンドオーバ判定部１０６によって、周波数ｆ１および周波数ｆ２それぞれの無線品質が比較され、ハンドオーバの有無が判定される。ただし、図１０に示す移動局装置に関しては、周波数ｆ２の無線品質が測定されていないため、無線品質の比較は行われず、ハンドオーバは行われない。ハンドオーバ判定部１０６による無線品質の比較の結果、ハンドオーバ情報が生成され、多重部１１０へ出力される。
【０１０２】
一方、受信信号が周波数切替通知検出部６０１へ出力されると、受信信号から周波数切替通知が検出される。ここでは、移動局装置がＲＦ受信部２０１の受信周波数を周波数ｆ２へ切り替える旨の周波数切替通知が検出されるため、この移動局装置が周波数を切り替える旨がリソース割当部１０７ｂへ通知される。同時に、受信信号に含まれる周波数ｆ１の無線品質情報がリソース割当部１０７ｂへ出力される。そして、周波数を切り替える移動局装置がスケジューリングの対象から除外された上で、無線品質情報によって報告される周波数ｆ１の無線品質から、各移動局装置に対するリソースの割り当てを決定するスケジューリングが行われる（８０２）。ここでは、図１０に示す移動局装置は、受信周波数を周波数ｆ２へ切り替えるため、この移動局装置がスケジューリングの対象から除外される。スケジューリングの結果は、スケジューリング情報として多重部１１０へ出力される。
【０１０３】
そして、多重部１１０によって、ハンドオーバ情報、スケジューリング情報、および共通パイロット信号が多重され、誤り訂正符号化部１１１、変調部１１２、およびＲＦ送信部１１３を経て、アンテナを介して送信される。なお、ハンドオーバ情報およびスケジューリング情報は、共通制御チャネルに多重され、制御信号となる。
【０１０４】
送信された信号は、周波数ｆ１の信号であるが、移動局装置の周波数切替制御部２０７ａによってＲＦ受信部２０１の受信周波数が周波数ｆ２へ切り替えられるため（８０４）、図１０に示す移動局装置には受信されない。そして、ＲＦ受信部２０１の受信周波数が周波数ｆ２に切り替えられることにより、無線ネットワーク装置＃２から随時送信されている共通パイロット信号がＲＦ受信部２０１によって受信される（４０３）。受信された共通パイロット信号は、ＲＦ受信部２０１および復調部２０２を経て、無線品質測定部２０５へ出力される。そして、無線品質測定部２０５によって、周波数ｆ２の共通パイロット信号の無線品質が測定される（４０４）。
【０１０５】
無線品質の測定結果は、無線品質情報生成部２０６および周波数品質テーブル７０１へ通知され、周波数品質テーブル７０１が更新されるとともに、無線品質情報生成部２０６によって、周波数ｆ２の無線品質を示す無線品質情報が生成される。また、無線ネットワーク装置＃２からの共通パイロット信号を受信した後、ＲＦ受信部２０１の受信周波数は、無線ネットワーク装置＃１の周波数ｆ１に戻される（４０５）。無線品質情報は、多重部２０８、誤り訂正符号化部２０９、変調部２１０、およびＲＦ送信部２１１を経て、アンテナを介して送信される。
【０１０６】
送信された周波数ｆ２の無線品質情報は、無線ネットワーク装置＃１のＲＦ受信部１０１によって受信される（４０６）。受信された無線品質情報は、ＲＦ受信部１０１、復調部１０２、誤り訂正復号部１０３、および分離部１０４を経て、周波数品質テーブル１０５へ出力される。無線品質情報が周波数品質テーブル１０５へ出力されると、周波数品質テーブル１０５が更新される。さらに、ハンドオーバ判定部１０６によって、周波数品質テーブル１０５が参照されることにより、周波数ｆ１と周波数ｆ２の無線品質が比較され、ハンドオーバの有無が判定される。この結果から、ハンドオーバ判定部１０６によってハンドオーバ情報が生成され、多重部１１０へ出力される。
【０１０７】
ハンドオーバ情報は、多重部１１０、誤り訂正符号化部１１１、変調部１１２、およびＲＦ送信部１１３を経て、アンテナを介して移動局装置へ送信される。そして、移動局装置は、ハンドオーバ情報を参照して、ＲＦ受信部２０１の受信周波数を周波数ｆ２に切り替えてハンドオーバを行うか、または、ＲＦ受信部２０１の受信周波数を周波数ｆ１としたまま再び無線ネットワーク装置＃１の共通パイロット信号を受信して無線品質を測定する。
【０１０８】
以上のように、本実施の形態によれば、所定の期間以上無線品質が測定されていない周波数がある移動局装置に対してはリソースが割り当てられないようにスケジューリングが行われるとともに、この移動局装置が受信周波数を一時的に切り替え、周辺の無線ネットワーク装置との間の下り回線の無線品質を測定する。このため、移動局装置が受信周波数を切り替えている間にこの移動局装置に対して信号が送信されることがなく、パケットロスによる伝送効率の低下を防止しつつ、通信中の周波数とは異なる周波数の信号の無線品質を測定することができる。また、移動局装置は無線品質の測定に要する時間を考慮して周波数を切り替えるタイミングを決定することができる。
【０１０９】
なお、本実施の形態においては、移動局装置が無線品質の測定に要する時間を考慮して、周波数切替通知を生成するものとしたが、移動局装置が周波数を切り替える時間の情報を周波数切替通知に含めるようにしても良い。こうすることにより、無線ネットワーク装置は、移動局装置が周波数を切り替えるタイミングを把握することができ、より確実に伝送効率の低下を防止することができる。
【０１１０】
本発明の第１の態様に係る無線ネットワーク装置は、複数の移動局装置から無線品質情報を受信する受信手段と、前記複数の移動局装置がそれぞれ周波数を切り替えるか否かを判定する判定手段と、前記複数の移動局装置に前記無線品質情報に応じたリソース割り当てを行う割当手段と、周波数を切り替えると判定された移動局装置にはリソースが割り当てられていないことを示すスケジューリング情報を送信する送信手段と、を有する構成を採る。
【０１１１】
この構成によれば、複数の移動局装置が周波数を切り替えるか否かを判定するとともに、それぞれの移動局装置に無線品質情報に応じてリソースを割り当て、周波数を切り替えると判定された移動局装置にはリソースが割り当てられないことを示すスケジューリング情報を送信するため、スケジューリングの結果決定される移動局装置の通信時間と移動局装置が受信周波数を切り替えて無線品質を測定する時間とが重複せず、パケットロスによる伝送効率の低下を防止しつつ、通信中の周波数とは異なる周波数の信号の無線品質を測定することができる。
【０１１２】
本発明の第２の態様に係る無線ネットワーク装置は、上記第１の態様において、前記判定手段は、前記割当手段によってリソースが割り当てられない移動局装置が周波数を切り替えると判定する構成を採る。
【０１１３】
この構成によれば、リソースが割り当てられない移動局装置が周波数を切り替えると判定するため、確実にリソースが割り当てられる時間と周波数切替の時間との重複を避けることができる。また、通信中の周波数の無線品質が劣悪な移動局装置が周波数を切り替えることになるので、無線品質が劣悪な移動局装置に関するハンドオーバ判定が可能となり、移動体通信システム全体の伝送効率を向上することができる。
【０１１４】
本発明の第３の態様に係る無線ネットワーク装置は、上記第１の態様において、前記割当手段は、前記判定手段によって周波数を切り替えると判定された移動局装置を対象外として、前記無線品質情報に応じたリソース割り当てを行う構成を採る。
【０１１５】
この構成によれば、周波数を切り替えると判定された移動局装置を対象外としてリソース割り当てが行われるため、確実にリソースが割り当てられる時間と周波数切替の時間との重複を避けることができる。また、スケジューリングに拘わらず所望の移動局装置の周波数を切り替えることが可能となるので、各移動局装置における周波数の測定履歴などの条件から効率の良い周波数切替を実行させることができる。
【０１１６】
本発明の第４の態様に係る無線ネットワーク装置は、上記第３の態様において、前記判定手段は、受信された無線品質情報を参照して、各移動局装置について周波数ごとの無線品質および当該無線品質が測定された時刻を記憶するテーブル、を含み、所定の期間以上無線品質が測定されていない周波数に対応する移動局装置が周波数を切り替えると判定する構成を採る。
【０１１７】
この構成によれば、所定の期間以上無線品質が測定されていない周波数に対応する移動局装置が周波数を切り替えると判定するため、記憶される周波数の無線品質が古くなることがなく、ハンドオーバの有無を正確に判定することができ、伝送効率をさらに向上することができる。
【０１１８】
本発明の第５の態様に係る無線ネットワーク装置は、上記第３の態様において、前記判定手段は、移動局装置から送信された周波数切替通知を検出する周波数切替通知検出部、を含み、周波数切替通知を送信した移動局装置が周波数を切り替えると判定する構成を採る。
【０１１９】
この構成によれば、周波数切替通知を送信した移動局装置が周波数を切り替えると判定するため、移動局装置は無線品質の測定に要する時間を考慮して周波数を切り替えるタイミングを決定することができる。
【０１２０】
本発明の第６の態様に係る無線ネットワーク装置は、上記第１の態様において、自装置の周辺に位置する無線ネットワーク装置が通信する信号の周波数に周波数を切り替える旨の周波数切替指示を生成する生成手段、をさらに有し、前記送信手段は、周波数を切り替えると判定された移動局装置に対して、生成された周波数切替指示を送信する構成を採る。
【０１２１】
この構成によれば、自装置周辺の無線ネットワーク装置が通信する信号の周波数に切り替える旨の指示が送信されるため、移動局装置はハンドオーバ候補の無線ネットワーク装置との間の回線における無線品質を測定することができる。
【０１２２】
本発明の第７の態様に係る移動局装置は、複数の通信相手局からそれぞれ周波数が異なる信号を受信する受信手段と、受信信号を用いて無線品質を測定する測定手段と、周波数ごとの無線品質および当該無線品質が測定された時刻を記憶するテーブルと、所定の期間以上無線品質が測定されていない周波数に受信周波数を切り替えると判定する判定手段と、受信周波数を切り替える旨の周波数切替通知を送信する送信手段と、を有する構成を採る。
【０１２３】
この構成によれば、所定の期間以上無線品質が測定されていない周波数に受信周波数を切り替えると判定するため、記憶される周波数の無線品質が古くなることがなく、ハンドオーバの有無を正確に判定することができ、伝送効率をさらに向上することができる。
【０１２４】
本発明の第８の態様に係る周波数切替方法は、複数の移動局装置から無線品質情報を受信するステップと、前記複数の移動局装置に対して、受信された無線品質情報に応じたリソース割り当てを行うステップと、リソースが割り当てられない移動局装置が周波数を切り替えると判定するステップと、を有するようにした。
【０１２５】
この方法によれば、リソースが割り当てられない移動局装置が周波数を切り替えると判定するため、スケジューリングの結果決定される移動局装置の通信時間と移動局装置が受信周波数を切り替えて無線品質を測定する時間とが重複せず、パケットロスによる伝送効率の低下を防止しつつ、通信中の周波数とは異なる周波数の信号の無線品質を測定することができる。
【０１２６】
本発明の第９の態様に係る周波数切替方法は、複数の移動局装置から無線品質情報を受信するステップと、前記複数の移動局装置がそれぞれ周波数を切り替えるか否かを判定するステップと、周波数を切り替えると判定された移動局装置を対象外として、前記無線品質情報に応じたリソース割り当てを行うステップと、を有するようにした。
【０１２７】
この方法によれば、周波数を切り替えると判定された移動局装置を対象外としてリソース割り当てが行われるため、スケジューリングの結果決定される移動局装置の通信時間と移動局装置が受信周波数を切り替えて無線品質を測定する時間とが重複せず、パケットロスによる伝送効率の低下を防止しつつ、通信中の周波数とは異なる周波数の信号の無線品質を測定することができる。
【産業上の利用可能性】
【０１２８】
本発明の無線ネットワーク装置、移動局装置、および周波数切替方法は、パケットロスによる伝送効率の低下を防止しつつ、通信中の周波数とは異なる周波数の信号の無線品質を測定することができ、例えばハンドオーバなどに際して、通信中の回線とは周波数が異なる回線の無線品質測定が必要とされる移動体通信システムに用いられる無線ネットワーク装置、移動局装置、および周波数切替方法として有用である。
【図面の簡単な説明】
【０１２９】
【図１】本発明の実施の形態１に係る無線ネットワーク装置の要部構成を示すブロック図
【図２】実施の形態１に係る移動局装置の要部構成を示すブロック図
【図３】実施の形態１に係る無線品質測定動作の一例を示すシーケンス図
【図４】実施の形態１に係る無線品質測定動作の他の一例を示すシーケンス図
【図５】本発明の実施の形態２に係る無線ネットワーク装置の要部構成を示すブロック図
【図６】実施の形態２に係る無線品質測定動作の一例を示すシーケンス図
【図７】本発明の実施の形態３に係る無線ネットワーク装置の要部構成を示すブロック図
【図８】実施の形態３に係る移動局装置の要部構成を示すブロック図
【図９】実施の形態３に係る無線品質測定動作の一例を示すシーケンス図
【図１０】実施の形態３に係る無線品質測定動作の他の一例を示すシーケンス図
【符号の説明】
【０１３０】
１０５、１０５ａ、７０１  周波数品質テーブル
１０６  ハンドオーバ判定部
１０７、１０７ａ、１０７ｂ  リソース割当部
１０８、１０８ａ  周波数切替判定部
１０９  周波数切替指示生成部
２０５  無線品質測定部
２０６  無線品質情報生成部
２０７、２０７ａ  周波数切替制御部
６０１  周波数切替通知検出部
７０２  周波数切替通知生成部
【図１】
2006165691.tif 000003
【図２】
2006165691.tif 000004
【図３】
2006165691.tif 000005
【図４】
2006165691.tif 000006
【図５】
2006165691.tif 000007
【図６】
2006165691.tif 000008
【図７】
2006165691.tif 000009
【図８】
2006165691.tif 000010
【図９】
2006165691.tif 000011
【図１０】
2006165691.tif 000012